(57)【要約】【課題】化粧水や乳液等を含浸させたカット綿や化粧用コットン等のパフで肌をパッティングするスキンケアや、化粧用ブラシ・ペンシルによるポイントメイキャップ等に好適な美容・化粧用具を提供する。【解決手段】カット綿、化粧用コットンや小サイズに折り畳んだガーゼ、ティッシュペーパー等で成るパフＰを片面側に取り付ける板状のパット部２と、パット部２の他面側に突出する柱部３と、柱部３を介してパット部２を手の指に装着させるホルダー部４とが、シリコーンゴムや熱可塑性樹脂等の柔軟性と弾性を併せ持つゴム又は樹脂によって一体的に形成されている。【選択図】図２
2007236539.tif 000002
【特許請求の範囲】
【請求項１】
カット綿、化粧用コットンや小サイズに折り畳んだガーゼ、ティッシュペーパー等で成るパフを着脱可能に取り付けるパット部を有した美容・化粧用具において、前記パフを片面側に取り付ける板状のパット部と、該パット部の他面側に突出する柱部と、該柱部を介して前記パット部を手の指に装着させるホルダー部とが、柔軟性と弾性を併せ持つゴム又は樹脂によって一体的に形成されていることを特徴とする美容・化粧用具。
【請求項２】
前記柱部の両サイドに、前記パット部の片面側に配したパフの端縁部を挟み込んで保持する一対の切込が形成されている請求項１記載の美容・化粧用具。
【請求項３】
前記パット部が、パフを取り付ける片面側から見て、中間部が凹曲面を成し、その中間部から左右両端部にかけて凸曲面を成す波板形状に成形されると共に、その中間部に沿って他面側に突出する前記柱部が形成されている請求項１又は２記載の美容・化粧用具。
【請求項４】
前記ホルダー部が、手の指１本を嵌め入れる割リングで形成され、該割リングの割れ目を挟んでその左右両側に、割リングに嵌め入れた指と隣り合う２本の指を宛がわせることができる一対の指宛て部が形成されている請求項１、２又は３記載の美容・化粧用具。
【請求項５】
前記パット部、柱部及びホルダー部が、シリコーンゴム又は熱可塑性エラストマーによって一体成形されている請求項１、２、３又は４記載の美容・化粧用具。
【請求項６】
前記パット部を接地させずに平らな面に置くことが可能な形状に成形されている請求項１、２、３、４又５は記載の美容・化粧用具。
【発明の詳細な説明】
【技術分野】
【０００１】
本発明は、化粧水や乳液、ぬるま湯などを含浸させたカット綿や化粧用コットン等のパフで肌をパッティングするスキンケアや、化粧用ブラシやペンシルで口紅、アイシャドウ、アイライン、マスカラ、眉墨などを施すポイントメイキャップ等に使用することができる美容・化粧用具に関する。
【背景技術】
【０００２】
例えば４ｃｍ×４ｃｍのカット綿や、５ｃｍ×６ｃｍの化粧用コットン等の定型サイズのコットンを使用して顔面のスキンケアを行う場合は、利き手の中指をコットンの上面側に宛がい、中指と隣り合う人差し指と薬指をコットンの下面側に宛がうようにして、それら３本の指で直接コットンを挟み持ち、そのコットンに化粧水や乳液などのローションを含浸させて、頬や額、瞼、鼻、顎などをパッティングするのが一般的である。
【０００３】
しかし、３本の指で挟み持ったコットンが顔面の肌に触れる部分は、中指を宛がった部分のみであり、人差し指と薬指を宛がった部分は肌に触れないから、ローションを含浸したコットンがパッティングに供される部分は、そのコットンの約３分の１程度の面積しかなく、他の部分に含浸されたローションは有効に利用されないし、長時間パッティングすると、コットンを挟み持つ指から伝わる体温でローションが蒸発するため、ローションを無駄に消費する量が多かった。
【０００４】
また、ローションを含浸して濡れた状態となったコットンは、そのコットン繊維がバラケ易くなるため、これを挟み持つ３本の指によって加えられる引張り力で型崩れを生じて、使い難くなったり、指から外れ易くなるので、長時間パッティングするときは、コットンを何度か交換し、その都度ローションを含浸させなければならないので、非常に不経済であった。
【０００５】
なお、パッティングに使用する用具として、図４の如く、コットンや小サイズに折り畳んだガーゼ、ティッシュペーパー等で成るパフＰを着脱可能に取り付けるパット部４１とその柄部４２とが硬質プラスチック、金属板又は硬質ゴムで形成された柄付きパット４０が提案されており（特許文献１参照）、そのパット部４１と柄部４２が硬質プラスチックで一体成形されたものが市販されている。
【０００６】
この柄付きパット４０は、円環状の周枠４３とその枠内に設けた円板状のタブ４４とでパフＰを挟むようにして取り付けるパット部４１が、柄部４２の先端に形成されており、柄部４２を片手で握り持ってパット部４１を肌に打ち当てるようにパッティングするが、その際、硬質プラスチックで形成されたパット部４１の硬い周枠４３が肌に当たるので、長時間パッティングすると苦痛を伴なうという問題があった。また、硬質のパット部４１で目の周囲や瞼の表面などを叩くのは危険であるし、鼻と頬の境目などの窪んだ所は、硬くて剛直なパット部４１に取り付けられたパフＰでパッティングすることができないから、柄付きパット４０は、顔面のパッティングには不向きなものであった。
【特許文献１】特開２００３−１９０２８号公報
【０００７】
また、パッティングによってスキンケアし、ファンデーションでベースメイキャップを施した顔に、口紅、アイシャドウ、マスカラ、眉墨などでポイントメイキャップを施すときは、それら口紅等を塗るために化粧用ブラシやペンシルを使用するが、例えばアイライナーと称するペンシルで眼球に近い上瞼と下瞼の縁に沿ってアイラインを引くメイクは非常に難しく、ペンシルを持つ手が不如意に動いたり、筆圧が変動すると、途切れのない均整なラインを引くことができないという問題があった。
【０００８】
また、化粧品会社の美容部員がデパートの化粧品売り場等で顧客の顔にスキンケアやメイキャップを施す際に、その美容部員の手指が顧客の唇などに直接触れて顧客に不快感を与えることがあった。
【発明の開示】
【発明が解決しようとする課題】
【０００９】
本発明は、スキンケア用のローションを含浸させたカット綿や化粧用コットン等のパフで顔面を隈なく安全にパッティングすることができると同時に、化粧用ペンシルで途切れのない均整なアイラインを引くこともでき、また、美容部員が顧客の顔に手指を直接触れることなくスキンケアやメイキャップを施すことができる有用性の高い美容・化粧用具を提供することを技術的課題としている。
【課題を解決するための手段】
【００１０】
上記課題を解決するために、本発明は、カット綿、化粧用コットンや小サイズに折り畳んだガーゼ、ティッシュペーパー等で成るパフを着脱可能に取り付けるパット部を有した美容・化粧用具において、前記パフを片面側に取り付ける板状のパット部と、該パット部の他面側に突出する柱部と、該柱部を介して前記パット部を手の指に装着させるホルダー部とが、柔軟性と弾性を併せ持つゴム又は樹脂によって一体的に形成されていることを特徴とする。
【発明の効果】
【００１１】
本発明に係る美容・化粧用具は、パフを取り付けるパット部と、該パット部を手の指に装着させるホルダー部と、その間に介在する柱部とが、柔軟性と弾性を併せ持つゴム又は樹脂で形成されているから、パット部に取り付けたパフにスキンケア用のローションを含浸させて顔面を隈なく安全にパッティングすることができると同時に、長時間パッティングしても苦痛を与えるおそれがなく、毛穴の黒ずみ等を効果的に除去することもできる。
【００１２】
また、化粧用ペンシルを持つ手のペンシルを掴んでいない指をホルダー部に保持させて、パット部を顔面に押し当てることにより、ペンシルを持つ手が顔面に触れることを防止することができると同時に、その手が不如意に動いたり、ペンシルの筆圧が変動することを抑止して、見栄えの良いポイントメイキャップを施すことができる。
【発明を実施するための最良の形態】
【００１３】
本発明に係る美容・化粧用具の最良の実施形態は、カット綿や化粧用コットン等で成るパフを片面側に取り付ける板状のパット部と、該パット部の他面側に突出する柱部と、該柱部を介してパット部を手の指に装着させるホルダー部とが、柔軟性と弾性を併せ持つシリコーンゴムによって一体成形されると共に、パット部を接地させずにドレッサーや化粧台等の平らな面に置くことが可能な形状に成形され、柱部の両サイドには、パット部の片面側に配したパフの端縁部を挟み込んで保持する一対の切込が形成されている。
【００１４】
また、パット部は、パフを取り付ける片面側から見て、中間部が凹曲面を成し、その中間部から左右両端部にかけて凸曲面を成す波板形状に成形されると共に、その中間部に沿って該パット部の他面側に突出する柱部が形成され、該柱部を介してパット部を手の指に装着させるホルダー部は、手の指１本を嵌め入れる割リングで形成され、該割リングの割れ目を挟んでその左右両側に、割リングに嵌め入れた指と隣り合う２本の指を宛がわせることができる一対の指宛て部が形成されている。
【実施例】
【００１５】
図１は本発明に係る美容・化粧用具の一例を示す正面図、図２はその美容・化粧用具にパフを取り付けた状態を示す斜視図、図３はその美容・化粧用具を用いてポイントメイキャップする使用状態を示す斜視図である。
【００１６】
本例の美容・化粧用具１は、例えば４ｃｍ×４ｃｍのカット綿、５ｃｍ×６ｃｍの化粧用コットン等の定型コットンや、これらと同等程度の小サイズに折り畳んだガーゼやティッシュペーパー等で成るパフＰを片面側に取り付けることができる板状のパット部２と、該パット部２の他面側中央に垂直に突出する板状の柱部３と、該柱部３を介してパット部２を手の指に装着させるホルダー部４とが、柔軟性と弾性を併せ持つシリコーンゴムで一体成形されると共に、図１の左図に示す正立状態から、右図の如く、パット部２を上向きにし、ホルダー部４を下向きにする倒立状態として、パフＰを取り付けるパット部２を接地させずにドレッサー、化粧台（鏡台）等の平らな面Ｆに置くことができる形状に成形され、柱部３の両サイドには、パット部２との境界付近に一対の切込５ａ、５ｂが形成され、その切込５ａ、５ｂに、図２の如くパット部２の片面側に配したパフＰの端縁部を挟み込んで保持するようになっている。
【００１７】
パット部２は、パフＰを取り付ける片面側から見て、中間部２ａが凹曲面を成し、その中間部２ａから左右両端部２ｂ、２ｃにかけて凸曲面を成す波板形状に成形されると共に、その中間部２ａに沿ってパット部２の他面側に突出する柱部３が形成されている。
【００１８】
ホルダー部４は、手の指１本を嵌め入れる略菱形の割リングＲで形成されると共に、該割リングＲの割れ目６を挟んでその左右両側に、割リングＲに嵌め入れた指と隣り合う２本の指を宛がわせることができる一対の指宛て部７ａ、７ｂが形成されている。なお、割リングＲは、どの指でも嵌め入れることができるように、指の太さに応じて割れ目６が広がるように弾性変形し、その弾性変形によって生ずる反発力で嵌め入れた指を保持するようになっている。また、指宛て部７ａ、７ｂは、指を宛がう面が指の腹にフィットする凹曲面形状を成している。
【００１９】
上記の如く構成された美容・化粧用具１は、柱部３の両サイドに形成された切込５ａ、５ｂを押し開くように弾性変形させて、その切込５ａ、５ｂにパフＰの端縁部を挟み込むだけで、パフＰをパット部２に取り付けることができるので、パフＰの交換を簡単且つ迅速に行うことができる。
【００２０】
そして、パット部２にパフＰを取り付けた美容・化粧用具１で顔面のスキンケアを行うときは、ホルダー部４の割リングＲに利き手の中指を嵌め入れると共に、その中指と隣り合う人差し指と薬指を夫々指宛て部７ａ、７ｂに宛がって、パット部２が手の平と略平行な状態になるように指に装着させ、そのパット部２に取り付けられたパフＰにスキンケア用のローションを含浸させて、顔面をパッティングする。
【００２１】
この際、シリコーンゴムで成るパット部２と柱部４によってパッティングの衝撃が緩和され、また、顔面に打ち当てるパット部２は柔軟性を有しているので、長時間パッティングしても苦痛を生ずることがない。特に、パット部２は、衝撃を吸収し易い波板形状に成形され、しかも、中間部２ａが柱部４から加わる力を分散させる凹曲面に形成されているので、その柱部４が顔面を突く衝撃を吸収緩和する効果を奏し、また、左右両端部２ｂ、２ｃが凸曲面に形成されているので、その端縁部が顔面を突くこともない。したがって、目の周りや、瞼の表面なども安全にパッティングすることができる。
【００２２】
また、パット部２は、顔面の凹凸変化に応じて弾性変形するので、頬と鼻の境目部分や小鼻などの表面もパッティングすることができると同時に、その弾性によって毛穴の黒ずみ等も効果的に除去することができる。なお、パッティングを一時中断して美容・化粧用具１を指から取り外す際は、図１の右図の如くパット部２を接地させない倒立状態としてドレッサーや化粧台等の平らな面Ｆに置き、パット部２に取り付けたパフＰにゴミや埃が付着することや、パフＰに含浸されたローションが化粧台等に付着することを防止することができる。
【００２３】
また、化粧品会社の美容部員が、顧客の顔に化粧用ブラシや化粧用ペンシルでポイントメイキャップを施すときは、例えば図３の如く、利き手の小指８ｅをホルダー部４の割リングＲに嵌め入れ、小指８ｅと隣り合う薬指８ｄを指宛て部７ａに宛がうようにして美容・化粧用具１を装着し、他の親指８ａ、人差し指８ｂ及び中指８ｃでアイラインを引く化粧用ペンシル９を掴み持って、パフＰを取り付けたパット部２を顧客の顔１０に軽く押し当てるようにする。
【００２４】
これにより、化粧用ペンシル９を持つ手が顧客の顔１０に直接触れることを防止することができる同時に、そのペンシル９で眼球に近い瞼の縁に沿ってアイラインを引く際に、手が不如意に動いたり、ペンシル９の筆圧が変動することを抑止して、途切れのない均整なアイラインを引くことができる。また、ホルダー部４は割リングＲで形成されているため、その割リングＲに嵌め入れた小指８ｅの関節の動きが封じられることもないから、ペンシル９を自在に動かすことができ、見栄えの良いポイントメイキャップを施すことができる。
【００２５】
また、ホルダー部４の割リングＲが、指を１関節分以上保持することができる幅広リングに形成されると共に、割リングＲの割れ目６が、一対の幅広なリブ１１ａ、１１ｂで形成されていれば、割リングＲが指を嵌め入れたときに弾性変形して生ずる反発力と、割リングＲに嵌め入れた指と割れ目６を形成するリブ１１ａ、１１ｂとの間に生ずる摩擦力によって、その指が割リングＲから不如意に外れることを確実に防止することができる。
【００２６】
なお、美容・化粧用具１は、シリコーンゴム等のゴムで成形されたものに限らず、熱可塑性エラストマー等の柔軟性と弾性を併せ持つ樹脂で成形されたものでもよい。また、ホルダー部４は、手の指1本を嵌め入れる割リングＲで形成されているが、本発明のホルダー部は、これに限らず、パフを取り付けるパット部を手の指に装着させることができる構成となっているものであればよい。
【産業上の利用可能性】
【００２７】
本発明は、パッティングによるスキンケアや、化粧用ブラシ・ペンシルによるポイントメイキャップ等に好適な美容・化粧用具を提供することができる。。
【図面の簡単な説明】
【００２８】
【図１】本発明に係る美容・化粧用具の一例を示す正面図
【図２】図１の美容・化粧用具にパフを取り付けた状態を示す斜視図
【図３】図１の美容・化粧用具を用いてポイントメイキャップする使用状態の斜視図
【図４】パッティングに使用する従来用具を示す図
【符号の説明】
【００２９】
Ｐ    パフ
１    美容・化粧用具
２    パット部
３    柱部
４    ホルダー部
Ｒ    割リング
５ａ  切込
５ｂ  切込
６    割れ目
７ａ  指宛て部
７ｂ  指宛て部
８    手
８ａ  親指
８ｂ  人差し指
８ｃ  中指
８ｄ  薬指
８ｅ  小指
９    化粧用ペンシル
１０    顔
１１ａ  リブ
１１ｂ  リブ
【図１】
2007236539.tif 000003
【図２】
2007236539.tif 000004
【図３】
2007236539.tif 000005
【図４】
2007236539.tif 000006